(57)【要約】【課題】値下げ用ラベル連続体３１の製造にあたり、カス取り部３５、３６の発生割合を減らすことができる値下げ用ラベル３０のラベル原反１６に無駄が生じないようにした値下げ用ラベル連続体の製造方法を提供すること。【解決手段】バーコード隠蔽領域９をラベル本体領域８の左右対称に突出させ、隣り合う値下げ用ラベル連続体３１の列において、バーコード隠蔽領域９を互いに組み合う形態にして互いに隣接するようにすることに着目し、左右一対の一対のバーコード隠蔽領域９は、そのラベル本体領域８の隣の列において帯状方向で互いに隣接する一対のラベル本体領域８のそれぞれのバーコード隠蔽領域９の一対の間に帯状方向において隣接するようにこれを位置させるようにすることにより、値下げ用ラベル連続体３１は、その複数列を互いに隣接して帯状に形成するように、ラベル原反１６の厚さ方向に分離切込み線３２を形成することを特徴とする。【選択図】図２
2009202448.tif 000002
【特許請求の範囲】
【請求項１】
少なくとも値下げ用の印字を行うことができるラベル本体領域と、
このラベル本体領域から外方に突出しているとともに、すでに商品に表示されている少なくとも元価格表示のバーコード部分を隠蔽可能な互いに反対側に位置する一対のバーコード隠蔽領域と、を有する値下げ用ラベルを一列に複数枚連続した帯状の値下げ用ラベル連続体として、帯状のラベル原反から製造するための値下げ用ラベル連続体の製造方法であって、
前記バーコード隠蔽領域は、前記ラベル本体領域の帯状方向におけるその左右に前記一対を左右対称に形成するように、かつ、
前記バーコード隠蔽領域は、その前記ラベル本体領域の隣の列において前記帯状方向で互いに隣接する一対の前記ラベル本体領域のそれぞれの前記バーコード隠蔽領域の一対の間に前記帯状方向において隣接するようにこれを位置させるようにすることにより、
前記値下げ用ラベル連続体は、その複数列を互いに隣接して帯状に形成するように、
前記ラベル原反の厚さ方向に分離切込み線を形成することを特徴とする値下げ用ラベル連続体の製造方法。
【請求項２】
前記バーコード隠蔽領域は、その前記ラベル本体領域の隣の列において前記帯状方向で互いに隣接する一対の前記ラベル本体領域のそれぞれに、前記ラベル本体領域の幅方向において隣接するようにこれを位置させるように、
前記分離切込み線を形成することを特徴とする請求項１記載の値下げ用ラベル連続体の製造方法。
【請求項３】
前記値下げ用ラベルは、
前記ラベル本体領域および前記バーコード隠蔽領域を形成するラベル基材と、
このラベル基材の表面に形成した感熱発色剤層と、
この感熱発色剤層の表面に形成した剥離剤層と、
前記ラベル基材の裏面に形成した粘着剤層と、を有することを特徴とする請求項１記載の値下げ用ラベル連続体の製造方法。
【請求項４】
前記分離切込み線は、
前記帯状方向において互いに隣接する前記ラベル本体領域の間に形成するマイクロミシンカット線と、
前記値下げ用ラベルの前記各列を完全に分離可能な全カット線と、からこれを構成することを特徴とする請求項３記載の値下げ用ラベル連続体の製造方法。
【請求項５】
前記値下げ用ラベルは、
前記ラベル本体領域および前記バーコード隠蔽領域を形成するラベル基材と、
このラベル基材の裏面に形成した粘着剤層と、
この粘着剤層の裏面に仮着した剥離紙と、を有することを特徴とする請求項１記載の値下げ用ラベル連続体の製造方法。
【請求項６】
前記分離切込み線は、
前記帯状方向において互いに隣接する前記ラベル本体領域の間に形成し、前記帯状方向で互いに隣接する前記値下げ用ラベルを分離可能とする第１の全カット線と、
前記値下げ用ラベル連続体の前記各列を完全に分離可能な第２の全カット線と、からこれを構成することを特徴とする請求項５記載の値下げ用ラベル連続体の製造方法。
【発明の詳細な説明】
【技術分野】
【０００１】
本発明は値下げ用ラベル連続体の製造方法にかかるもので、とくに値下げ用ラベルのラベル本体領域から突出した部分（バーコード隠蔽領域）を有する値下げ用ラベル連続体の製造方法に関するものである。
【背景技術】
【０００２】
従来から、すでに商品に表示されている少なくとも元価格表示のバーコード部分を隠蔽可能なバーコード隠蔽領域を有する値下げ用ラベルの値下げ用ラベル連続体が開発されている。
上記値下げ用ラベル連続体およびその製造方法について、図７ないし図９にもとづき概説する。
図７は、価格表示ラベル１および値下げ用ラベル２の平面図、図８は、値下げ用ラベル２を帯状に複数枚連続した値下げ用ラベル連続体３を製造するにあたっての平面図である。
価格表示ラベル１は、商品Ｍの所定部位にこれを貼り付けてあるものであって、商品Ｍに関する必要な各種の情報、たとえば小売店の名称４、商品名５および価格６などを表示している。なお、とくに、商品名ないし商品番号などをバーコード７により表示している。
【０００３】
値下げ用ラベル２は、矩形状のラベル本体領域８と、バーコード隠蔽領域９と、を有し、図７中、要部を断面して示しているように、ラベル本体領域８およびバーコード隠蔽領域９を形成するラベル基材１０と、このラベル基材１０の表面に形成した感熱発色剤層１１と、この感熱発色剤層１１の表面に形成したシリコーンオイルなどの剥離剤による剥離剤層１２と、ラベル基材１０の裏面に形成した粘着剤層１３と、を有する、いわゆる台紙なしラベルの積層構造を有する。
【０００４】
ラベル本体領域８は、上記感熱発色剤層１１において少なくとも値下げ用の印字（たとえば、値下げ価格１４やバーコード１５）を行うことができるものである。
バーコード隠蔽領域９は、このラベル本体領域８より比較的小さな面積の、たとえば矩形状であって、ラベル本体領域８から外方片側（図中、右方）に突出しているとともに、上記バーコード７の一部を覆ってその機械的な読み取りを不可能とする（図７中、仮想線を参照）。
【０００５】
したがって、商品Ｍ買上げの際、価格表示ラベル１のバーコード７ではなく、値下げ用ラベル２のバーコード１５をレジにおいて読み取ることにより、バーコード７の読み間違いを防止しつつ、値下げ処理を行うことができる。
【０００６】
図８に示すように、上述のような値下げ用ラベル連続体３を製造するにあたっては、帯状のラベル原反１６（ラベル基材１０および感熱発色剤層１１を積層した状態の原反、あるいは、さらに剥離剤層１２および粘着剤層１３を積層した状態の原反）に必要な分離切込み線１７を形成して、複数列（たとえば、三列）の値下げ用ラベル連続体３を構成する。
この分離切込み線１７は、値下げ用ラベル連続体３の幅方向に沿ってラベル原反１６の積層方向（厚さ方向）全部を切断する全カット線１７Ａと、全カット線１７Ａをまたぐようにラベル本体領域８を分離するマイクロミシンカット線１７Ｂと、からなっている。
これらの全カット線１７Ａおよびマイクロミシンカット線１７Ｂにより、ラベル原反１６からは、値下げ用ラベル連続体３としては不要部分すなわち、カス取り部（図８中、左端部の直線状カス取り部１８、およびバーコード隠蔽領域９の形状に沿った三本の凹凸状カス取り部１９）が発生する。
【０００７】
図９は、値下げ用ラベル連続体３の製造装置２０の概略側面図であり、値下げ用ラベル連続体３の製造装置２０は、ラベル原反１６の供給部２１と、小売店の名称４など固定情報をあらかじめ印刷する印刷部２２と、剥離剤層１２を塗布する剥離塗工部２３と、マイクロミシンカット線１７Ｂを形成するマイクロミシン目カット部２４と、粘着剤層１３を塗布する粘着剤塗布部２５と、全カット線１７Ａを形成する全カット部２６と、カス取りローラー２７を介して直線状カス取り部１８および凹凸状カス取り部１９を値下げ用ラベル連続体３の列から巻き取り除去するカス取り巻上げ部２８と、値下げ用ラベル連続体３として三列に巻き取る値下げ用ラベル連続体３の巻取り部２９と、を有する。
【０００８】
しかしながら、図８に示すように、バーコード隠蔽領域９がラベル本体領域８の片側に飛び出している形状の値下げ用ラベル２では、三列の値下げ用ラベル連続体３を製造するために、一本の直線状カス取り部１８および三本の凹凸状カス取り部１９、計四列が破棄されることになり、ラベル原反１６の材料損失が多いという問題がある。
【０００９】
さらに、図７に示した値下げ用ラベル２の場合には、商品Ｍ上の価格表示ラベル１におけるバーコード７が価格表示ラベル１の左右いずれか一方しか隠蔽することができず、価格表示ラベル１のデザインによっては、値下げ用ラベル２の貼付け態様に融通がきかないという問題がある。
【００１０】
【特許文献１】特開２００５−１２１７２１号公報
【特許文献２】特開２００６−２１５２３６号公報
【発明の開示】
【発明が解決しようとする課題】
【００１１】
本発明は以上のような諸問題にかんがみなされたもので、値下げ用ラベルのラベル原反に無駄が生じないようにした値下げ用ラベル連続体の製造方法を提供することを課題とする。
【００１２】
また本発明は、値下げ用ラベル連続体の製造にあたり、カス取り部の発生割合を減らすことができる値下げ用ラベル連続体の製造方法を提供することを課題とする。
【００１３】
また本発明は、商品にすでに貼り付けられている価格表示ラベルのバーコードの位置に関係なく、左右いずれの方向からでもこのバーコードの一部を隠蔽可能である値下げ用ラベル連続体の製造方法を提供することを課題とする。
【課題を解決するための手段】
【００１４】
すなわち本発明は、バーコード隠蔽領域をラベル本体領域の左右対称に突出させること、および隣り合う値下げ用ラベル連続体の列において、バーコード隠蔽領域を互いに組み合う形態にして互いに隣接するようにすることに着目したもので、少なくとも値下げ用の印字を行うことができるラベル本体領域と、このラベル本体領域から外方に突出しているとともに、すでに商品に表示されている少なくとも元価格表示のバーコード部分を隠蔽可能な互いに反対側に位置する一対のバーコード隠蔽領域と、を有する値下げ用ラベルを一列に複数枚連続した帯状の値下げ用ラベル連続体として、帯状のラベル原反から製造するための値下げ用ラベル連続体の製造方法であって、上記バーコード隠蔽領域は、上記ラベル本体領域の帯状方向におけるその左右に上記一対を左右対称に形成するように、かつ、上記バーコード隠蔽領域は、その上記ラベル本体領域の隣の列において上記帯状方向で互いに隣接する一対の上記ラベル本体領域のそれぞれの上記バーコード隠蔽領域の一対の間に上記帯状方向において隣接するようにこれを位置させるようにすることにより、上記値下げ用ラベル連続体は、その複数列を互いに隣接して帯状に形成するように、上記ラベル原反の厚さ方向に分離切込み線を形成することを特徴とする値下げ用ラベル連続体の製造方法である。
【００１５】
上記バーコード隠蔽領域は、その上記ラベル本体領域の隣の列において上記帯状方向で互いに隣接する一対の上記ラベル本体領域のそれぞれに、上記ラベル本体領域の幅方向において隣接するようにこれを位置させるように、上記分離切込み線を形成することができる。
【００１６】
上記値下げ用ラベルは、上記ラベル本体領域および上記バーコード隠蔽領域を形成するラベル基材と、このラベル基材の表面に形成した感熱発色剤層と、この感熱発色剤層の表面に形成した剥離剤層と、上記ラベル基材の裏面に形成した粘着剤層と、を有することができる。
【００１７】
上記分離切込み線は、上記帯状方向において互いに隣接する上記ラベル本体領域の間に形成するマイクロミシンカット線と、上記値下げ用ラベルの上記各列を完全に分離可能な全カット線と、からこれを構成することができる。
【００１８】
上記値下げ用ラベルは、上記ラベル本体領域および上記バーコード隠蔽領域を形成するラベル基材と、このラベル基材の裏面に形成した粘着剤層と、この粘着剤層の裏面に仮着した剥離紙と、を有することができる。
【００１９】
上記分離切込み線は、上記帯状方向において互いに隣接する上記ラベル本体領域の間に形成し、上記帯状方向で互いに隣接する上記値下げ用ラベルを分離可能とする第１の全カット線と、上記値下げ用ラベル連続体の上記各列を完全に分離可能な第２の全カット線と、からこれを構成することができる。
【発明の効果】
【００２０】
本発明による値下げ用ラベル連続体の製造方法においては、ラベル原反の厚さ方向に分離切込み線を形成するにあたって、値下げ用ラベル連続体がその複数列を互いに隣接して帯状に形成するように、すなわち、バーコード隠蔽領域は、ラベル本体領域の帯状方向におけるその左右に一対を左右対称に形成するように、かつ、バーコード隠蔽領域は、そのラベル本体領域の隣の列において帯状方向で互いに隣接する一対のラベル本体領域のそれぞれのバーコード隠蔽領域の一対の間に帯状方向において隣接するようにこれを位置させるようにしたので、たとえば図８に示したように、三本（三列）の値下げ用ラベル連続体を帯状に形成するにあたって、中央の凹凸状カス取り部を発生させることなく、ラベル原反を有効に分割して値下げ用ラベル連続体を製造することが可能となり、用紙のロスを最小限にすることができる。
【発明を実施するための最良の形態】
【００２１】
本発明は、値下げ用ラベルに左右対称の一対のバーコード隠蔽領域を突出形成するとともに、ある値下げ用ラベル連続体のバーコード隠蔽領域を隣り合う値下げ用ラベル連続体と直接隣接するように、隣り合う値下げ用ラベル連続体どおしの形状を組み合わせるようにしたので、材料の損失を最小限とすることができる値下げ用ラベル連続体の製造方法を実現した。
【実施例】
【００２２】
つぎに本発明による値下げ用ラベル連続体の製造方法を図１ないし図３にもとづき説明する。ただし、図７ないし図９と同様の部分には同一符号を付し、その詳述はこれを省略する。
図１は、値下げ用ラベル３０および前記価格表示ラベル１の平面図、図２は、値下げ用ラベル３０を帯状に複数枚連続した値下げ用ラベル連続体３１を製造するにあたっての平面図である。
値下げ用ラベル３０は、前記値下げ用ラベル２（図７）と同様に、ラベル基材１０、感熱発色剤層１１、剥離剤層１２および粘着剤層１３を積層した、いわゆる台紙なしラベルの積層構造を有しており、その値下げ用ラベル２の左右反対側に互いに対称に一対のバーコード隠蔽領域９を突出形成してある。
【００２３】
したがって、図１の仮想線に示すように、バーコード隠蔽領域９のいずれかが価格表示ラベル１の左側あるいは右側のいずれの方向からもそのバーコード７の一部を隠蔽可能であって、レジにおいて値下げ処理を行うことができる。
【００２４】
図２に示すように、上述のような値下げ用ラベル３０を製造するにあたっては、帯状のラベル原反１６に必要な分離切込み線３２を形成して、たとえば、三列の値下げ用ラベル連続体３１を構成する。
分離切込み線３２は、値下げ用ラベル連続体３１の幅方向においてラベル原反１６の積層方向（厚さ方向）全部を切断することにより値下げ用ラベル３０の各列を完全に分離可能な全カット線３２Ａと、帯状方向において互いに隣接するラベル本体領域８の間に形成して全カット線３２Ａをまたぐようにラベル本体領域８を分離可能とするマイクロミシンカット線３２Ｂと、からこれを構成している。
これらの全カット線３２Ａおよびマイクロミシンカット線３２Ｂにより、ラベル原反１６からは、値下げ用ラベル連続体３１としては不要部分すなわち、カス取り部（図２中、左端部側のバーコード隠蔽領域９の形状に沿った一本の凹凸状カス取り部３５、および右端部側のバーコード隠蔽領域９の形状に沿った一本の凹凸状カス取り部３６）が発生する。
【００２５】
図３は、値下げ用ラベル連続体３１の製造装置３３の概略側面図であって、製造装置３３は、ラベル原反１６の供給部２１と、小売店の名称４など固定情報をあらかじめ印刷する印刷部２２と、剥離剤層１２を塗布する剥離塗工部２３と、粘着剤層１３を塗布する粘着剤塗布部２５と、全カット線３２Ａおよびマイクロミシンカット線３２Ｂを形成するカット部３４と、カス取りローラー２７を介して凹凸状カス取り部３５、３６を値下げ用ラベル連続体３１の列から巻き取り除去するカス取り巻上げ部２８と、値下げ用ラベル連続体３１として三列に巻き取る値下げ用ラベル連続体３の巻取り部２９と、を有する。
【００２６】
かくして、ラベル原反１６の厚さ方向に分離切込み線３２（全カット線３２Ａおよびマイクロミシンカット線３２Ｂ）を形成することにより、ラベル本体領域８の帯状方向におけるその左右にバーコード隠蔽領域９の一対を左右対称に形成している。
また、バーコード隠蔽領域９は、そのラベル本体領域８の隣の列において帯状方向で互いに隣接する一対のラベル本体領域８のそれぞれのバーコード隠蔽領域９の一対の間に帯状方向において隣接するようにこれを位置させている。
さらに、バーコード隠蔽領域９は、そのラベル本体領域８の隣の列において帯状方向で互いに隣接する一対のラベル本体領域８のそれぞれに、ラベル本体領域８の幅方向において隣接するようにこれを位置させている。
すなわち、値下げ用ラベル連続体３１は、その複数列の間に従来のようなカス取り部（一本の直線状カス取り部１８および三本の凹凸状カス取り部１９、図８を参照）を形成することなく、最小限の凹凸状カス取り部３５、３６（図２を参照）の発生のみで、これを互いに隣接して帯状に形成するように製造することができる。
【００２７】
本発明は、上述のような台紙なしラベルの構成を有する値下げ用ラベル３０や値下げ用ラベル連続体３１以外にも、台紙付きラベルの構成を有する値下げ用ラベル４０や値下げ用ラベル連続体４１にも適用可能である。
図４は、値下げ用ラベル連続体４１の斜視図であって、値下げ用ラベル４０は、ラベル本体領域８および左右対称の一対のバーコード隠蔽領域９を形成するラベル基材１０と、このラベル基材１０の裏面に形成した粘着剤層１３と、この粘着剤層１３の裏面に仮着した剥離紙４２（台紙）と、を有する。
【００２８】
図５は、値下げ用ラベル４０を帯状に複数枚連続した値下げ用ラベル連続体４１を製造するにあたっての平面図である。
図５に示すように、値下げ用ラベル４０を製造するにあたっては、帯状のラベル原反１６に必要な分離切込み線４３を形成して、たとえば、三列の値下げ用ラベル連続体４１を構成する。
分離切込み線４３は、前述した分離切込み線３２（図２）と同様の軌跡をラベル原反１６上に描くことになるが、ラベル原反１６の厚さ方向におけるカット深さないし形態が異なる第１の全カット線４４と、第２の全カット線４５と、からこれを構成する。
第１の全カット線４４は、ラベル基材１０および粘着剤層１３までに切り込んでいるもので、値下げ用ラベル連続体４１の帯状方向において互いに隣接するラベル本体領域８の間に形成し、帯状方向で互いに隣接する値下げ用ラベル４０を分離可能とする。
第２の全カット線４５は、ラベル基材１０、粘着剤層１３および剥離紙４２までに切り込んでいるもので、値下げ用ラベル連続体４１の各列を完全に分離可能とする。
これら第１の全カット線４４および第２の全カット線４５により、ラベル原反１６からは、値下げ用ラベル連続体４１としては不要部分すなわち、カス取り部（図５中、左端部側のバーコード隠蔽領域９の形状に沿った一本の凹凸状カス取り部４６、および右端部側のバーコード隠蔽領域９の形状に沿った一本の凹凸状カス取り部４７）が発生する。
【００２９】
図６は、値下げ用ラベル連続体４１の製造装置４８の概略側面図であって、製造装置４８は、ラベル原反１６の供給部２１と、小売店の名称４など固定情報をあらかじめ印刷する印刷部２２と、剥離紙４２の供給部４９と、剥離紙４２上に粘着剤層１３を塗布する粘着剤塗布部２５と、ラベル原反１６および剥離紙４２を積層して粘着剤層１３をラベル原反の裏面側に移行させる積層ローラー５０と、第１の全カット線４４および第２の全カット線４５を形成するカット部５１と、カス取りローラー２７を介して凹凸状カス取り部４６、４７を値下げ用ラベル連続体４１の列から巻き取り除去するカス取り巻上げ部２８と、値下げ用ラベル連続体４１として三列に巻き取る値下げ用ラベル連続体４１の巻取り部２９と、を有する。
【００３０】
こうした工程を有する製造方法によっても、ラベル原反１６の損失を最小限にして、値下げ用ラベル連続体４１および値下げ用ラベル４０を製造可能である。
値下げ用ラベル４０の使用にあたっては、前述の値下げ用ラベル３０（図１）と同様に、剥離紙４２を剥離した状態で、ラベル基材１０を粘着剤層１３により、商品Ｍ上の価格表示ラベル１のバーコード７を左右いずれかのバーコード隠蔽領域９が隠すように貼り付ければよい。
【図面の簡単な説明】
【００３１】
【図１】本発明による値下げ用ラベル連続体の製造方法で製造する値下げ用ラベル３０および価格表示ラベル１の平面図である。
【図２】同、値下げ用ラベル３０を帯状に複数枚連続した値下げ用ラベル連続体３１を製造するにあたっての平面図である。
【図３】同、値下げ用ラベル連続体３１の製造装置３３の概略側面図である。
【図４】本発明による値下げ用ラベル連続体の製造方法を適用可能な台紙付きラベルの構成を有する値下げ用ラベル連続体４１の斜視図である。
【図５】同、値下げ用ラベル４０を帯状に複数枚連続した値下げ用ラベル連続体４１を製造するにあたっての平面である。
【図６】同、値下げ用ラベル連続体４１の製造装置４８の概略側面図である。
【図７】従来からの価格表示ラベル１および値下げ用ラベル２の平面図である。
【図８】同、値下げ用ラベル２を帯状に複数枚連続した値下げ用ラベル連続体３を製造するにあたっての平面図である。
【図９】同、値下げ用ラベル連続体３の製造装置２０の概略側面図である。
【符号の説明】
【００３２】
１  価格表示ラベル
２  値下げ用ラベル（従来、図７）
３  値下げ用ラベル連続体（図８）
４  小売店の名称
５  商品名
６  商品Ｍの価格
７  バーコード
８  ラベル本体領域
９  バーコード隠蔽領域
１０  ラベル基材
１１  感熱発色剤層
１２  剥離剤層
１３  粘着剤層
１４  値下げ価格
１５  バーコード
１６  ラベル原反
１７  分離切込み線（図８）
１７Ａ  分離切込み線１７の全カット線
１７Ｂ  分離切込み線１７のマイクロミシンカット線
１８  直線状カス取り部
１９  凹凸状カス取り部
２０  値下げ用ラベル連続体３の製造装置（図９）
２１  ラベル原反１６の供給部
２２  印刷部
２３  剥離塗工部
２４  マイクロミシンカット部
２５  粘着剤塗布部
２６  全カット部
２７  カス取りローラー
２８  カス取り巻上げ部
２９  巻取り部
３０  値下げ用ラベル（図１）
３１  値下げ用ラベル連続体（本発明による製造方法で製造する値下げ用ラベル連続体、図１）
３２  分離切込み線（図２）
３２Ａ  分離切込み線３２の全カット線
３２Ｂ  分離切込み線３２のマイクロミシンカット線
３３  値下げ用ラベル連続体３１の製造装置（図３）
３４  カット部
３５  凹凸状カス取り部
３６  凹凸状カス取り部
４０  値下げ用ラベル
４１  値下げ用ラベル連続体（本発明による製造方法で製造する値下げ用ラベル連続体、図４）
４２  剥離紙
４３  分離切込み線（図５）
４４  分離切込み線４３の第１の全カット線
４５  分離切込み線４３の第２の全カット線
４６  凹凸状カス取り部
４７  凹凸状カス取り部
４８  値下げ用ラベル連続体４１の製造装置（図６）
４９  剥離紙４２の供給部
５０  積層ローラー
５１  カット部
Ｍ    商品（図１、図７）
【図１】
2009202448.tif 000003
【図２】
2009202448.tif 000004
【図３】
2009202448.tif 000005
【図４】
2009202448.tif 000006
【図５】
2009202448.tif 000007
【図６】
2009202448.tif 000008
【図７】
2009202448.tif 000009
【図８】
2009202448.tif 000010
【図９】
2009202448.tif 000011